(57)【要約】【課題】冷却ファンによる騒音の低減を図るとともに、冷却ファンの回転を停止する第１の設定加熱出力よりも加熱コイルの加熱出力が大きい第２の設定加熱出力を選択している状態で、第１の設定加熱出力を選択した際、機器の冷却を十分に行うこと。【解決手段】制御手段２３は遅延設定部２８を有し、前記遅延設定部２８は、操作設定部２６の設定内容が、第１の設定加熱出力以下であると、冷却ファン２４の回転を停止し、前記第１の設定加熱出力よりも前記加熱コイルの加熱出力が大きい第２の設定加熱出力を選択している状態で、前記第１の設定加熱出力を選択した際、前記第１の設定加熱出力で動作させた状態で、前記遅延設定部で設定された所定時間、前記冷却ファン速度制御手段を駆動して冷却ファンを回転させた後、冷却ファンを停止することにより、騒音を低減し、快適性を向上させることができるとともに、機器の冷却を十分に行うことができる。【選択図】図１
2010118303.tif 000002
【特許請求の範囲】
【請求項１】
機体上面に載置された被加熱物を誘導加熱する加熱コイルと、前記加熱コイルに高周波電流を供給するインバータ回路と、前記加熱コイルの加熱出力を複数段階に設定する操作設定部と、前記操作設定部の設定内容を表示する操作表示部と、前記操作設定部の設定内容に基づき前記インバータ回路の出力を制御する制御手段と、前記加熱コイルと前記インバータ回路と機体内部を冷却する冷却ファンと、前記冷却ファンの回転数を可変する冷却ファン速度制御手段を備え、前記制御手段は遅延設定部を有し、前記遅延設定部は、前記操作設定部の設定内容が、第１の設定加熱出力以下であると、前記冷却ファンの回転を停止し、前記操作設定部の設定内容が、前記第１の設定加熱出力よりも前記加熱コイルの加熱出力が大きい第２の設定加熱出力を選択している状態で、前記第１の設定加熱出力を選択した際、前記第１の設定加熱出力で動作させた状態で、前記遅延設定部で設定された所定時間、前記冷却ファン速度制御手段を駆動して冷却ファンを回転させた後、冷却ファンを停止する誘導加熱調理器。
【請求項２】
遅延設定部は、第２の設定加熱出力を選択している状態で、第１の設定加熱出力を選択した際、第２の設定加熱出力が大きいほど、冷却ファンを停止するまでの時間を長く設定する請求項１に記載の誘導加熱調理器。
【請求項３】
インバータ回路の温度を検知するインバータ温度検知手段を備え、冷却ファン速度制御手段は、前記インバータ温度検知手段により検知した温度が一定温度以下であれば、冷却ファンの回転を停止する請求項１または２に記載の誘導加熱調理器。
【請求項４】
加熱コイルの温度を検知する加熱コイル温度検知手段を備え、冷却ファン速度制御手段は、前記加熱コイル温度検知手段により検知した温度が一定温度以下であれば、冷却ファンの回転を停止する請求項１または２に記載の誘導加熱調理器。
【請求項５】
複数の温度検知素子を備え、前記の複数の温度検知素子ごとに予め決められた値を設定し、前記の複数の温度検知素子すべてが、設定値を下まわるとき、冷却ファンの回転を停止する請求項１または２に記載の誘導加熱調理器。
【発明の詳細な説明】
【技術分野】
【０００１】
本発明は、調理時の騒音を抑え、静音化を図る誘導加熱調理器に関するものである。
【背景技術】
【０００２】
従来、この種の誘導加熱調理器は、加熱出力に応じて冷却ファンの回転数を変化させて騒音を低減している（例えば、特許文献１参照）。
【０００３】
図５は、従来の加熱調理器のブロック図を示すものである。
【０００４】
図示はしないが、加熱調理器の外郭を構成する本体の上部には、トッププレートと吸気部を備えている。また、トッププレートの上面には鍋を誘導加熱する加熱コイル、インバータからなる誘導加熱手段が設けられている。また、吸気部の下方には冷却ファンを備え、冷却ファンの送風方向にはインバータが配されている。さらに、インバータなどの回路ユニットの左側で、加熱コイルの下には加熱庫内にあるロースタヒータを加熱する手段が設けられている。
【０００５】
前記構成において、図５に示すように加熱出力に応じてファン速度が定められており、冷却ファン速度制御手段２５により、設定された加熱出力に応じて前記冷却ファンの回転数が変化する構成とすることにより、機器の冷却を十分維持しながら、冷却ファンの回転数を必要最小限に抑えて、騒音を低減している。
【特許文献１】特開２００４−４７３０５号公報
【発明の開示】
【発明が解決しようとする課題】
【０００６】
しかしながら、前記従来の構成では、インバータ回路の出力に応じて冷却ファンの回転数を変更し、商品の静音化を図るものであり、冷却ファンの回転数の設定は、加熱コイルやインバータ回路の発熱は加熱する負荷により異なるので、最悪の負荷を踏まえたインバータ回路の出力に応じた冷却ファンの回転数にしている。よって、発熱の少ない負荷を加熱している場合には冷却ファンは必要以上の回転数で回転し冷却していることになり、不要な騒音が発生するという課題を有していた。
【０００７】
また、冷却ファンの回転を停止する第１の設定加熱出力よりも加熱コイルの加熱出力が大きい第２の設定加熱出力を選択して使用いる状態で、加熱出力が小さい第１の設定加熱出力を選択し切替えた際、第１の設定加熱出力で動作させると同時に、冷却ファンの回転を停止するので、加熱コイル、インバータ回路、機体内部の温度が下がりきらない状態で冷却ファンが停止して、機器の冷却が十分に行えないという課題を有していた。
【０００８】
本発明は、前記従来の課題を解決するもので、冷却ファンの回転を停止させることで、過冷却により発生する騒音を抑え、静音化を図るとともに、加熱出力が大きい第２の設定加熱出力を選択している状態で、加熱出力のが小さい第１の設定加熱出力を選択した際、第１の設定加熱出力で動作させた状態で、加熱コイル、インバータ回路、機体内部の温度低下が十分見込める所定の時間は、冷却ファンを回転させることにより、機器の冷却を十分に行うことができる誘導加熱調理器を提供することを目的とする。
【課題を解決するための手段】
【０００９】
前記従来の課題を解決するために、本発明の誘導加熱調理器は、加熱コイルまたはインバータ回路の損失が冷却の不要となる程度の加熱出力の小さい第１の設定加熱出力の場合
、冷却ファンの回転を停止させるとともに、加熱出力が大きい第２の設定加熱出力を選択している状態で、加熱出力が小さい第１の設定加熱出力を選択した際、第１の設定加熱出力で動作させた状態で、所定時間冷却ファンを回転させる構成としたものである。
【００１０】
これによって、加熱コイルまたはインバータ回路の損失が冷却の不要となる程度の加熱出力の小さい第１の設定加熱出力の場合、冷却ファンの回転を停止させることにより、騒音を低減することができる。したがって、不必要な騒音を発生することがなく快適性を向上させることができる。また、第２の設定加熱出力を選択している状態で、第１の設定加熱出力を選択した際、第１の設定加熱出力で動作させた状態で、加熱コイル、インバータ回路、機体内部の温度低下が十分見込める所定時間冷却ファンを回転させることにより、機器の冷却を十分に行うことができる。
【発明の効果】
【００１１】
本発明の誘導加熱調理器は、加熱コイルまたはインバータ回路の損失が冷却の不要となる程度に加熱出力の小さい第１の設定加熱出力の場合、冷却ファンの回転を停止させることにより、騒音を低減することができる。したがって、不必要な騒音を発生することがなく快適性を向上させることができる。また、第２の設定加熱出力を選択している状態で、第１の設定加熱出力を選択した際、第１の設定加熱出力で動作させた状態で、加熱コイル、インバータ回路、機体内部の温度低下が十分見込める所定時間冷却ファンを回転させることにより、機器の冷却を十分に行うことができる。
【発明を実施するための最良の形態】
【００１２】
第１の発明は、機体上面に載置された被加熱物を誘導加熱する加熱コイルと、前記加熱コイルに高周波電流を供給するインバータ回路と、前記加熱コイルの加熱出力を複数段階に設定する操作設定部と、前記操作設定部の設定内容を表示する操作表示部と、前記操作設定部の設定内容に基づき前記インバータ回路の出力を制御する制御手段と、前記加熱コイルと前記インバータ回路と機体内部を冷却する冷却ファンと、前記冷却ファンの回転数を可変する冷却ファン速度制御手段を備え、前記制御手段は遅延設定部を有し、前記遅延設定部は、前記操作設定部の設定内容が、第１の設定加熱出力以下であると、前記冷却ファンの回転を停止し、前記操作設定部の設定内容が、前記第１の設定加熱出力よりも前記加熱コイルの加熱出力が大きい第２の設定加熱出力を選択している状態で、前記第１の設定加熱出力を選択した際、前記第１の設定加熱出力で動作させた状態で、前記遅延設定部で設定された所定時間、前記冷却ファン速度制御手段を駆動して冷却ファンを回転させた後、冷却ファンを停止することにより、加熱コイルまたはインバータ回路の損失が冷却の不要となる程度に加熱出力の小さい第１の設定加熱出力の場合、冷却ファンの回転を停止させることで、騒音を低減することができる。
【００１３】
したがって、不必要な騒音を発生することがなく快適性を向上させることができる。また、第２の設定加熱出力を選択している状態で、第１の設定加熱出力を選択した際、第１の設定加熱出力で動作させると同時に、冷却ファンの回転を停止すると、加熱コイル、インバータ回路、機体内部の温度が下がりきらない状態で冷却ファンが停止するので、機器の冷却が十分に行えないが、第１の設定加熱出力で動作させた状態で、加熱コイル、インバータ回路、機体内部の温度低下が十分見込める所定時間冷却ファンを回転させることにより、機器の冷却を十分に行うことができる。
【００１４】
第２の発明は、特に、第１の発明の遅延設定部を、第２の設定加熱出力を選択している状態で第１の設定加熱出力を選択した際、第２の設定加熱出力が大きいほど、冷却ファンを停止するまでの時間を長く設定することにより、各設定加熱出力において第１の設定加熱出力で動作させた状態で、加熱コイル、インバータ回路、機体内部の温度低下が十分見込める所定時間の間は、冷却ファンを回転させた後、冷却ファンを停止するので、必要な
時間だけ冷却ファンを回転させることができ、更に効率よく、冷却条件の変更を行うことができ、騒音を低減することにより快適性を向上させることができる。
【００１５】
第３の発明は、特に、第１または第２の発明に、インバータ回路の温度を検知するインバータ温度検知手段を備え、冷却ファン速度制御手段は、インバータ温度検出手段により検知した温度が一定温度以下であれば、冷却ファンの回転を停止する。
【００１６】
これにより、インバータ回路における発熱容量の異なる素子の温度を検知することができるため、操作設定部の設定内容が、第２の設定加熱出力を選択している状態で、第１の設定加熱出力を選択した際、第１の設定加熱出力で動作させた状態で、冷却ファンを回転させる時間がより効率よくなり、インバータ回路の素子に対して安全に設定でき、騒音を低減することにより快適性を向上させることができる。
【００１７】
第４の発明は、特に、第１または第２の発明に加熱コイルの温度を検知する加熱コイル温度検知手段を備え、冷却ファン速度制御手段は、加熱コイル温度検知手段により検知した温度が一定温度以下であれば、冷却ファンの回転を停止することにより、異なる発熱量の加熱コイルであっても、操作設定部の設定内容が、第２の設定加熱出力を選択している状態で、第１の設定加熱出力を選択した際、第１の設定加熱出力で動作させた状態で、冷却ファンを回転させる時間がより効率よく、加熱コイルに対して安全に設定でき、騒音を低減することにより快適性を向上させることができる。
【００１８】
第５の発明は、特に、第１または第２にの発明に、複数の温度検知素子を備え、複数の温度検知素子ごとに予め決められた値を設定し、複数の温度検知素子すべてが設定値を下まわるとき、冷却ファンの回転を停止するようにしている。これにより、異なる発熱容量の発熱素子の温度を検知することができるので、操作設定部の設定内容が、第２の設定加熱出力を選択している状態で、第１の設定加熱出力を選択した際、第１の設定加熱出力で動作させた状態で、冷却ファンを回転させる時間がより効率よく、複数の発熱素子に対して安全に設定でき、騒音を低減することにより快適性を向上させることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における誘導加熱調理器の構成を示すブロック図である。
【００２１】
図１において、機体上面に載置された被加熱物を誘導加熱する加熱コイル２１、加熱コイル２１に高周波電流を供給するインバータ回路２２、加熱コイル２１の加熱出力を複数段階に設定する操作設定部２６、操作設定部２６の設定内容を表示する操作表示部２７、操作設定部２６の設定内容に基づきインバータ回路２２の出力を制御する制御手段２３、加熱コイル２１とインバータ回路２２と機体内部を冷却する冷却ファン２４、冷却ファン２４の回転数を可変する冷却ファン速度制御手段２５、操作設定部２６の設定内容が、第１の設定加熱出力以下であると、冷却ファン２４の回転を停止し、操作設定部２６の設定内容が、第１の設定加熱出力よりも加熱コイル２１の加熱出力が大きい第２の設定加熱出力を選択している状態で、第１の設定加熱出力を選択した際、第１の設定加熱出力で動作させた状態で、設定された所定時間、前記冷却ファン速度制御手段を駆動して冷却ファンを回転させた後、冷却ファンを停止する遅延設定部２８で構成してる。
【００２２】
以上のように構成された誘導加熱調理器について、以下その動作、作用を説明する。
【００２３】
まず、加熱を開始するとインバータ回路２２は加熱コイル２１に高周波電流を供給して、機体上面に載置された被加熱物を誘導加熱する。
【００２４】
また、加熱を開始すると同時に、冷却ファン速度制御手段２５は加熱コイル２１とインバータ回路２２と機体内部を冷却するため、冷却ファン２４を駆動する。
【００２５】
冷却ファン速度制御手段２５は、操作設定部２６において、所定の設定加熱出力以下にて、冷却ファンの回転を停止し、操作設定部２６において、第２の設定加熱出力を選択している状態で、第１の設定加熱出力を選択した際、制御手段２３により加熱コイル２１の加熱出力を選択された加熱出力に設定し、遅延設定部２８により冷却ファン速度制御手段２５を駆動し、第１の設定加熱出力で動作させた状態で、加熱コイル、インバータ回路、機体内部の温度低下が十分見込める所定時間冷却ファンを回転させた後、冷却ファンを停止する。
【００２６】
以上のように、冷却ファンの回転を停止させることで、過冷却により発生する騒音を抑え、静音化を図るとともに、加熱出力が大きい第２の設定加熱出力を選択している状態で、加熱出力の小さい第１の設定加熱出力を選択した際、第１の設定加熱出力で動作させた状態で、加熱コイル、インバータ回路、機体内部の温度低下が十分見込める所定の時間の間は、冷却ファンを回転させることにより、機器の冷却を十分に行うことができる必要な時間だけ冷却ファンを回転させることができ、更に効率よく、騒音を低減することにより快適性を向上させることができる。
【００２７】
図２は、本発明の第１の実施の形態における誘導加熱調理器の加熱経過時間と、設定加熱出力および冷却ファン回転数との関係を示すものである。
【００２８】
図２において、冷却ファンの回転を停止する遅延時間は、第２の設定加熱出力を選択している状態で、第１の設定加熱出力を選択した時刻ｔ１、冷却ファンの回転を停止する時刻ｔ２、第１の設定加熱出力を選択した時刻ｔ１から冷却ファンの回転を停止する時刻ｔ２までの遅延時間Δｔ２となる。
【００２９】
操作表示部２７において時刻ｔ１のとき、第２の設定加熱出力を選択している状態で、第１の設定加熱出力を選択した際、第１の設定加熱出力で動作させた状態で、遅延時間Δｔの間、冷却ファンを回転させた後、時刻ｔ２のとき冷却ファンの回転を停止する。
【００３０】
例えば、第１の設定加熱出力を選択した時刻ｔ１が加熱開始から２分後であり、冷却ファンの回転を停止する時刻ｔ２が加熱開始から２分３０秒後であれば、遅延時間Δｔは３０秒となり、３０秒の間、第１の設定加熱出力で動作させた状態で、冷却ファンを回転させる。
【００３１】
このように、加熱コイルまたはインバータ回路の損失が冷却の不要となる程度に加熱出力の小さい第１の設定加熱出力の場合、冷却ファンの回転を停止させることにより、騒音を低減することができる。したがって、不必要な騒音を発生することがなく快適性を向上させることができる。
【００３２】
また、第２の設定加熱出力を選択している状態で、第１の設定加熱出力を選択した際、第１の設定加熱出力で動作させると同時に、冷却ファンの回転を停止すると、加熱コイル、インバータ回路、機体内部の温度が下がりきらない状態で冷却ファンが停止するので、機器の冷却が十分に行えないが、第１の設定加熱出力で動作させた状態で、加熱コイル、インバータ回路、機体内部の温度低下が十分見込める所定時間冷却ファンを回転させることにより、機器の冷却を十分に行うことができる。
【００３３】
（実施の形態２）
図３は、本発明の第２の実施の形態における誘導加熱調理器の選択された設定加熱出力と遅延時間Δｔの関係を示した図である。
【００３４】
図３において、第１の設定加熱出力を選択する前の設定加熱出力は、Ａ，Ｂ，Ｃ，Ｄ，Ｅで表し、横軸は各設定加熱出力のときの遅延時間Δｔ１、縦軸は各設定加熱出力の大きさを表している。
【００３５】
本実施の形態の誘導加熱調理器は、遅延設定部２８が、第２の設定加熱出力が大きいほど、冷却ファンを停止するまでの時間を長く設定する点が実施の形態１と異なる。
【００３６】
操作設定部２６において、設定加熱出力Ａを選択している状態で、第１の設定加熱出力を選択した際、第１の設定加熱出力で動作させた状態で、遅延時間Δの間ファンを回転させた後、ファンの回転を停止する。設定加熱出力Ａよりも大きい設定加熱出力Ｂを選択している状態で、第１の設定加熱出力を選択した際、第１の設定加熱出力で動作させた状態で、設定加熱出力Ａを選択していたときよりも長い遅延時間Δｔの間ファンを回転させた後、ファンの回転を停止する。
【００３７】
例えば、加熱出力が１．０ＫＷの設定加熱出力Ｃのとき、遅延時間Δｔが３０秒とすると、加熱出力が２．０ＫＷの設定加熱出力Ｄのとき、遅延時間Δｔは１分と長くなる。
【００３８】
このように、遅延設定部２８が、第２の設定加熱出力が大きいほど、冷却ファンを停止するまでの時間を長く設定することによって、各設定加熱出力において必要な時間だけ冷却ファンを回転させることができ、更に効率よく、冷却条件の変更を行うことができ、騒音を低減することにより快適性を向上させることができる。
【００３９】
（実施の形態３）
図４は、本発明の第３の実施の形態における誘導加熱調理器の構成を示すブロック図である。
【００４０】
図４において、温度検知素子ａは４１、温度検知素子ｂは４２、温度検知素子ｃは４３である。複数の温度検知素子を設けた点が実施の形態１と異なるだけで、それ以外の同一構成及び作用効果を表す部分には同一符号を付して詳細な説明を省略し、異なる点を中心に説明する。
【００４１】
複数の温度検知素子４１、４２、４３を備え、複数の温度検知素子ごとに予め決められた値を設定し、前記の複数の温度検知素子すべてが、設定値を下まわるとき、冷却ファンの回転を停止する設定を設けることで、異なる発熱容量の発熱素子の温度を検知することができるので、操作設定部２６において、冷却ファン２４の回転を停止する設定加熱出力よりも加熱コイル２１の加熱出力が大きい設定加熱出力を選択している状態で、冷却ファン２４の回転を停止する設定加熱出力を選択した際、第１の設定加熱出力で動作させた状態で、冷却ファンを回転させる時間がより効率よく、複数の発熱素子に対して安全に設定でき、騒音を低減することにより快適性を向上させることができる。
【産業上の利用可能性】
【００４２】
以上のように、本発明にかかる誘導加熱調理器は、加熱コイルまたはインバータ回路の損失が冷却の不要となる程度に加熱出力の小さい第１の設定加熱出力の場合、冷却ファンの回転を停止させ、騒音を低減し、不必要な騒音を発生することがなく快適性を向上させることができ、また、第２の設定加熱出力を選択している状態で、第１の設定加熱出力を
選択した際、第１の設定加熱出力で動作させた状態で、所定時間冷却ファンを回転させることにより、機器の冷却を十分に行うことができるので、誘導加熱調理器に限らず、他の加熱源を含んだ家庭用、業務用のあらゆる形態の加熱調理器にも有効である。
【図面の簡単な説明】
【００４３】
【図１】本発明の実施の形態１における誘導加熱調理器の構成を示すブロック図
【図２】本発明の実施の形態１における誘導加熱調理器の加熱経過時間と、設定加熱出力および冷却ファン回転数との関係を示す図
【図３】本発明の実施の形態２における誘導加熱調理器の選択された設定加熱出力と遅延時間Δｔの関係を示した図
【図４】本発明の実施の形態３における誘導加熱調理器の構成を示すブロック図
【図５】従来の加熱調理器のブロック図
【符号の説明】
【００４４】
２１  加熱コイル
２２  インバータ回路
２３  制御手段
２４  冷却ファン
２５  冷却ファン速度制御手段
２６  操作設定部
２７  操作表示部
２８  遅延設定部
４１  温度検知素子ａ
４２  温度検知素子ｂ
４３  温度検知素子ｃ
ｔ１  第１の設定加熱出力を選択した時刻
ｔ２  冷却ファンの回転を停止する時刻
Δｔ  遅延時間
【図１】
2010118303.tif 000003
【図２】
2010118303.tif 000004
【図３】
2010118303.tif 000005
【図４】
2010118303.tif 000006
【図５】
2010118303.tif 000007